(57)【要約】      （修正有）【課題】説明写真や絵、模様を拡大して平板状の被装材に貼り屏風状に連ねることにより、単なる長大なパネルよりも迫力があり、しかも落ち着きがあって、高級感の漂う展示用屏風を提供する。【解決手段】写真や絵、模様を拡大してインクジェット印刷した合成樹脂製フィルムを表層材６とし、被装材２に貼着し屏風状に連ね、裏側に美術織物の布帛を裏材７を貼着する。【選択図】図２
2007094214.tif 000002
【特許請求の範囲】
【請求項１】
写真、絵、柄をインクジェット印刷で多色印刷した合成樹脂製フィルムを表層材とし、前記表層材を平面状の被装材の折りたたみに合わせて折り曲げあるいは裁断して、前記被装材の表側に貼着し、表層材全体として多色印刷の連続絵柄が外観されることを特徴とする展示用屏風。
【請求項２】
前記平面状の被装材の裏側に美術織物の布帛を裏材として貼着してなることを特徴とする請求項１記載の展示用屏風。
【請求項３】
前記平面状の被装材の表層側及び裏側に下地紙を貼着し、前記表層材及び裏材を貼着してなることを特徴とする請求項１または２に記載の展示用屏風。
【発明の詳細な説明】
【技術分野】
【０００１】
本発明は、展示用屏風に関する。さらに詳しくは、例えば博物館や美術館等において、出品物の補助説明をしたり説明写真を拡大して展示するパネルを屏風状に連ねることによって、見学者にとって連続絵柄が外観視され大きく迫力のある展示物とし、しかも高級感が漂うようにした、展示用屏風に関するものである。
【背景技術】
【０００２】
従来からの屏風の一般的な製造方法としては、例えば特許文献１のように平板状の被装材の表層側と裏面とにそれぞれ下地紙を貼り、裏面には更にその上から裏化粧紙を貼り、このものを適宜の寸法に裁断して複数の化粧板となし、この化粧板を折り畳み自在となるように裏面のつなぎ部に帯状テープを貼り、一方、表層側にはつなぎ部に帯状テープを貼った後、その上から表化粧紙を貼り、更にこのものに枠材と飾り部材とを設けて構成されている。
【０００３】
また、特許文献２においては、水引にて編み上げられた水引織物若しくは立体的に形成された水引装飾を屏風本体に装着し、従来の屏風とは豪華さや趣の異なる水引屏風が開示されている。
【０００４】
しかしながら、上記のような屏風は、迫力をもって見学者に訴えかけるような屏風ではなく、独特な雰囲気を醸し出してはいるものの、屏風を作成する製法技術の開示であって、見学者を驚かすような、迫力のある大画面を目前に展示するようなものではなく展示用屏風としては満足のいくものではなかった。
【特許文献１】特開平０３−１８４５８２号公報
【特許文献２】特開平１０−１２７４７３号公報
【発明の開示】
【発明が解決しようとする課題】
【０００５】
説明写真や絵、模様を拡大して平板状の被装材に貼り屏風状に連ねることにより、単なる長大なパネルよりも迫力があり、しかも落ち着きがあって、高級感の漂う展示用屏風を得ることを課題とする。
【課題を解決するための手段】
【０００６】
本発明は、写真や絵、模様を拡大してインクジェット印刷し、屏風状に連ね、裏側に美術織物の布帛を裏材として貼着することによって、フルカラーで迫力がありしかも落ち着きのある品格溢れる展示用屏風が得られることを見出し、本発明に至ったものである。上記課題を達成するために、本発明は以下の手段を提供する。
【０００７】
［１］写真、絵、柄をインクジェット印刷で多色印刷した合成樹脂製フィルムを表層材とし、前記表層材を平面状の被装材の折りたたみに合わせて折り曲げあるいは裁断して、前記被装材の表側に貼着し、表層材全体として多色印刷の連続絵柄が外観されることを特徴とする展示用屏風。
【０００８】
［２］前記平面状の被装材の裏側に美術織物の布帛を裏材として貼着してなることを特徴とする前項１記載の展示用屏風。
【０００９】
［３］前記平面状の被装材の表層側及び裏側に下地紙を貼着し、前記表層材及び裏材を貼着してなることを特徴とする前項１または２に記載の展示用屏風。
【発明の効果】
【００１０】
［１］の発明では、写真、絵、柄をインクジェット印刷で多色印刷した合成樹脂製フィルムを表層材として使用するので、多色印刷の鮮明な迫力ある大画面の絵柄とすることができる。また、表層材を平面状の被装材の折りたたみに合わせて折り曲げあるいは裁断して、被装材の表側に貼着するので、長尺の柄や写真でも屏風状に横長に一枚の連続した絵柄として表現することができる。
【００１１】
［２］の発明では、平面状の被装材の裏側に美術織物の布帛を裏材として貼着しているので、高級感があり落ち着きのある展示用屏風とすることができる。
【００１２】
［３］の発明では、平面状の被装材の表層側及び裏側に下地紙を貼着し、表層材及び裏材を貼着しているので、表層材及び裏材が皺になりにくく、温度や湿度の影響をうけて剥がれやすくなったり、反ったりすることを防ぐことができる。
【発明を実施するための最良の形態】
【００１３】
本発明の展示用屏風について、図面を参照して詳細に説明する。図１は平面状の被装材２の表層側と裏面にそれぞれ下地紙３を貼り、つなぎ部４に帯状テープ５を貼った上に表層側に表層材６を、裏面側に美術織物の布帛を裏材７として貼ったものである。
【００１４】
平面状の被装材２は、昔からあるように組子と呼ばれる格子状に組み合わされた芯材の両面に、和紙や絹等が貼り付けられたものでもよいし、発泡スチロールやダンボール等からなる平面状の板であってもかまわない。ただし屏風としての強度を得るには厚さ１０ｍｍ以上は必要である。
【００１５】
前記平面状の被装材２の表面を覆う下地紙３としては、特に限定はしないが、和紙が好ましい。和紙は寸法安定性に優れ、平面状の被装材２の強度を向上し、反るのを防ぐ。また、表層材６の合成樹脂製フィルムを被装材２に直接貼着するよりも和紙を貼ることにより接着強度を増すことができる。また、下地紙３の表面は毛羽立たしておくほうが接着力が強く、接着材としては澱粉のり、布海苔、化学系接着剤等特に限定されない。
【００１６】
表層材６の合成樹脂製フィルムとしては、インクジェット印刷が可能なようにインク受理層を設けたものであれば特に限定しない。合成樹脂製フィルムに印刷した後に表面保護のために樹脂加工してもかまわないし、保護用の透明シートを貼ってもよい。また、表層材６が透明な合成樹脂製フィルムであれば、下地紙３との接着面に印刷した面を接着させてもかまわない。
【００１７】
被装材２のつなぎ部４は山折り部と谷折り部とあるが、共に帯状テープ５が貼付されることによって、この帯状テープ５が蝶番の働きをしてつなぎ部４で屈曲が自在となっている。帯状テープ５は合成樹脂製であってもよいし、紙製であってもよく平面状の被装材２を強固に接続するものである。また、蝶番を使って山折り部と谷折り部を確認しながら連結してもかまわない。
【００１８】
また、インクジェット印刷された表層材６の合成樹脂製フィルムは、あらかじめ被装材２のサイズに合わせて、絵柄の位置を調整して裁断して被装材２に接着してもよいし、裁断しないでつなぎ部４の山折り部、谷折り部にあわせて、一枚の連続した絵柄のままで被装材２に貼着させてもよい。
【００１９】
インクジェット印刷は、フルカラーで印刷でき多品種小ロット生産に特に優れた印刷方法で、展示用屏風のような、ほぼ一回だけの生産には最適な印刷方法である。
【００２０】
裏材７としては、一般に美術織物といわれる、金襴、緞子、錦等の裂地を用い、品格溢れる重厚な雰囲気を醸し出す裂地が好ましい。平面状の被装材２の裏面に貼られた下地紙３の上に、山折り部と谷折り部を確認しながら裏材７を澱粉のり等を使って皺のないように丁寧に貼り付ける。次に、表層材６と裏材７を貼り終えた被装材２の縁辺部に、コの字型の枠材８を嵌め込んで屏風を完成する。
【００２１】
コの字型の枠材８としては、表層材６と裏材７を貼り終えた被装材２が丁度入り込むように、被装材２の厚さに合わせてコの字型にした木製の枠材が好ましい。また、枠材８の四つの角とか、両サイドのたて枠の中央部等にそれぞれ飾り金具を設け，さらに豪華な屏風としてもよい。
【実施例】
【００２２】
＜実施例１＞
以下、本発明を図示の例に基づいて具体的に説明する。一例として発泡スチロールからなる平面状の６枚の被装材２に対して、その表層側と裏面に、和紙である下地紙３がそれぞれ皺にならないように貼られる。次に、下地紙３を貼った各被装材２の表層側を揃えて一列に並べ、谷折れをさせるつなぎ部に帯状テープ５を貼り付ける。さらにこれを裏返し、裏面を揃え、裏面からみて谷折れをさせるつなぎ部（表層側からみて山折れをさせるつなぎ部）に合成樹脂製の帯状テープ５を貼り付ける。この帯状テープが蝶番の働きをし、６枚の被装材２は屈曲してたたまれる。次に表層側に、フルカラープリントで作成した航空写真の表層材６を貼り付けていく。谷折れをさせるつなぎ部では、被装材２を開いた状態で表層材６を貼り、山折れをさせるつなぎ部では、被装材２を閉じた状態で被装材２の端面が揃った状態で表層材６を被装材２の端面にも貼るようにして表層材６を貼り付けていく。裏面にも表層側に貼ったのと同じように、金襴の裂地を貼り付ける。次に、表層材６と裏材７を貼り終えた被装材２の周辺に、被装材２の厚さに合わせてコの字型にした木製の枠材８を周辺部の形に合わせて嵌め込み屏風を完成した。
【図面の簡単な説明】
【００２３】
【図１】本発明の一実施形態の関係を示す概略図である。
【図２】本発明のつなぎ部の一実施形態の関係を示す概略断面図である。
【符号の説明】
【００２４】
１    屏風
２    被装材
３    下地紙
４    つなぎ部（山折り部）
５    帯状テープ  
６    表層材
７    裏材
８    枠材
９    つなぎ部（谷折り部）
【図１】
2007094214.tif 000003
【図２】
2007094214.tif 000004